(57)【要約】囲まれた容積を定めるコンテナー（１２）とコンテナーに連結された冷蔵モジュール（１６）とを含む輸送用冷蔵システム。冷蔵モジュールは囲まれた容積の温度を調節するように配設され、吐出口（２０）と吸込口（２２）を有する圧縮機と、吐出口に動作的に連結された凝縮器熱交換器ユニット（２４）と、吸込口に動作的に連結された蒸発器熱交換器ユニット（２６）と、凝縮器熱交換器ユニットに近接して配設された凝縮器ファン（２８）と、蒸発器熱交換器ユニットに近接して配設された蒸発器ファン（３０）と、吸込口に連結された吸込調整弁（３２）とを含む。輸送用冷蔵システムは更に、冷蔵モジュールに連結されたバイパスモジュール（３６）を含む。バイパスモジュールは通常動作位置とバイパス動作位置を有するバイパスモードスイッチと、最大冷却位置とファンのみ位置を有する動作モードスイッチを含む。輸送用冷蔵システムはまたバイパスモジュールに連結された電子制御装置（５０）を含む。バイパスモードスイッチが通常動作位置にあるときは、電子制御装置は冷蔵モジュールの動作を調節する。バイパスモードスイッチがバイパス動作位置にあるときは、圧縮機、凝縮器ファン、蒸発器ファン及び吸込調整弁は動作モードスイッチの位置により選択的に動作される。
2006522312.tif 000002
【特許請求の範囲】
【請求項１】
吐出口と吸込口を有する圧縮機と、前記吐出口に動作的に連結された凝縮器熱交換器ユニットと、前記吸込口に動作的に連結された蒸発器熱交換器ユニットと、前記凝縮器熱交換器ユニットに近接して配設された凝縮器ファンと、前記蒸発器熱交換器ユニットに近接して配設された蒸発器ファンと、前記吸込口に連結された吸込調整弁とを含む冷蔵モジュールと、
通常動作位置とバイパス動作位置を有するバイパスモードスイッチと、最大冷却位置とファンのみ位置を有する動作モードスイッチとを含む、前記冷蔵モジュールに連結されたバイパスモジュールと、
前記バイパスモジュールに連結された電子制御装置と、を備える、囲まれた容積の温度を調節する冷蔵ユニットであって、
前記バイパスモードスイッチが通常動作位置にあるときは、前記電子制御装置が前記圧縮機、前記凝縮器ファン、前記蒸発器ファン及び前記吸込調整弁の動作を調節し、
前記バイパスモードスイッチがバイパス動作位置にあるときは、前記圧縮機、前記凝縮器ファン、前記蒸発器ファン及び前記吸込調整弁が前記バイパスモジュールにより選択的に動作され、そのような選択動作が前記動作モードスイッチの位置により制御されることを特徴とする冷蔵ユニット。
【請求項２】
吐出口と吸込口を有する圧縮機と、前記吐出口に動作的に連結された凝縮器熱交換器ユニットと、前記吸込口に動作的に連結された蒸発器熱交換器ユニットと、前記吸込口に連結された吸込調整弁とを含む、コンテナーに連結された冷蔵モジュールであって、囲まれた容積の温度を調節するように配設された冷蔵モジュールと、
通常動作位置とバイパス動作位置を有するバイパスモードスイッチと、最大冷却位置と蒸発器のみ位置を有する動作モードスイッチとを含む、前記冷蔵モジュールに連結されたバイパスモジュールと、
前記バイパスモジュールに連結された電子制御装置と、を備える、囲まれた容積の温度を調節する冷蔵ユニットであって、
前記バイパスモードスイッチが通常動作位置にあるときは、前記電子制御装置が前記圧縮機、前記凝縮器熱交換器ユニット、前記蒸発器熱交換器ユニット及び前記吸込調整弁の動作を調節し、
前記バイパスモードスイッチがバイパス動作位置にあるときは、前記圧縮機、前記凝縮器熱交換器ユニット、前記蒸発器熱交換器ユニット及び前記吸込調整弁が前記バイパスモジュールにより選択的に動作され、そのような選択動作が前記動作モードスイッチの位置により制御され、
液体冷媒が前記圧縮機、前記凝縮器熱交換器ユニット、前記蒸発器熱交換器ユニット及び前記吸込調整弁を通って循環されることを特徴とする冷蔵ユニット。
【請求項３】
前記凝縮器熱交換器ユニットが第１の循環流体熱交換器を含み、
前記蒸発器熱交換器ユニットが第２の循環流体熱交換器を含み、
前記第１の循環流体熱交換器が液体冷媒から第２の循環流体に熱を伝達し、
前記第２の循環流体熱交換器が第３の循環流体から液体冷媒に熱を伝達することを特徴とする請求項２に記載の冷蔵ユニット。
【請求項４】
前記第１の循環流体熱交換器がウォータジャケットを含み、
前記第２の循環流体熱交換器がウォータジャケットを含むことを特徴とする請求項３に記載の冷蔵ユニット。
【請求項５】
更に、前記凝縮器熱交換器ユニットに近接して配設された凝縮器ファンと、
前記蒸発器熱交換器ユニットに近接して配設された蒸発器ファンと、を含むことを特徴とする請求項２に記載の冷蔵ユニット。
【請求項６】
囲まれた容積を定めるコンテナーと、
吐出口と吸込口を有する圧縮機と、前記吐出口に動作的に連結された凝縮器熱交換器ユニットと、前記吸込口に動作的に連結された蒸発器熱交換器ユニットと、前記凝縮器熱交換器ユニットに近接して配設された凝縮器ファンと、前記蒸発器熱交換器ユニットに近接して配設された蒸発器ファンと、前記吸込口に連結された吸込調整弁とを含む、前記コンテナーに連結された冷蔵モジュールであって、前記囲まれた容積の温度を調節するように配設された冷蔵モジュールと、
通常動作位置とバイパス動作位置を有するバイパスモードスイッチと、最大冷却位置とファンのみ位置を有する動作モードスイッチとを含む、前記冷蔵モジュールに連結されたバイパスモジュールと、
前記バイパスモジュールに連結された電子制御装置と、を備える輸送用冷蔵システムであって、
前記バイパスモードスイッチが通常動作位置にあるときは、前記電子制御装置が前記圧縮機、前記凝縮器ファン、前記蒸発器ファン及び前記吸込調整弁の動作を調節し、
前記バイパスモードスイッチがバイパス動作位置にあるときは、前記圧縮機、前記凝縮器ファン、前記蒸発器ファン及び前記吸込調整弁が前記バイパスモジュールにより選択的に動作され、そのような選択動作が前記動作モードスイッチの位置により制御されることを特徴とする輸送用冷蔵システム。
【請求項７】
前記バイパスモードスイッチがバイパス動作位置にあり、前記動作モードスイッチが最大冷却位置にあるときは、電力が前記圧縮機、前記凝縮器ファン、前記蒸発器ファンに供給され、前記吸込調整弁が全開位置に置かれることを特徴とする請求項６に記載の輸送用冷蔵システム。
【請求項８】
前記バイパスモードスイッチがバイパス動作位置にあり、前記動作モードスイッチがファンのみ位置にあるときは、電力が前記蒸発器ファンに供給され、前記蒸発器ファンが最大能力で動作されることを特徴とする請求項６に記載の輸送用冷蔵システム。
【請求項９】
前記バイパスモードスイッチがバイパス動作位置にあり、前記動作モードスイッチがファンのみ位置にあるときは、電力が前記蒸発器ファンに供給され、前記蒸発器ファンが最大能力より低い能力で動作されることを特徴とする請求項６に記載の輸送用冷蔵システム。
【請求項１０】
前記バイパスモジュールが更に位相検出回路を含むことを特徴とする請求項６に記載の輸送用冷蔵システム。
【請求項１１】
前記バイパスモジュールが更にＨブリッジ駆動回路を含むことを特徴とする請求項１０に記載の輸送用冷蔵システム。
【請求項１２】
前記バイパスモジュールが更に制御回路を含むことを特徴とする請求項１１に記載の輸送用冷蔵システム。
【請求項１３】
前記冷蔵モジュールが更に液体噴射弁を含むことを特徴とする請求項６に記載の輸送用冷蔵システム。
【請求項１４】
冷蔵システムを制御する電子制御装置と、
冷蔵システムと前記電子制御装置に連結されたバイパスモジュールと、を備える冷蔵システム用制御モジュールであって、
前記バイパスモジュールが複数のスイッチを含み、それにより、冷蔵システムの選択された構成要素の動作を維持しながら前記電子制御装置を冷蔵システムから隔離できることを特徴とする冷蔵システム用制御モジュール。
【発明の詳細な説明】
【技術分野】
【０００１】
本発明は輸送用冷蔵システム、より詳細には輸送用冷蔵システムのためのバイパススイッチに関する。
【背景技術】
【０００２】
腐敗し易い品目を輸送するのが特に難しいのは、そのような品目が、品目により、腐敗とその逆の凍結による損傷を防止する狭い温度範囲内に維持されなければならないことである。輸送貨物空間内を適切な温度に維持するために輸送用冷蔵ユニットが用いられる。輸送用冷蔵ユニットは典型的には電子制御装置の管理の下にある。電子制御装置は、輸送用冷蔵ユニットが輸送貨物空間内をある一定の温度環境に維持することを保証する。電子制御装置の故障は所望の温度環境の消失と、それに続くその中に貯蔵された腐り易い品目の腐敗を生じ得る。従って、電子制御装置が故障した場合に輸送用冷蔵ユニットの継続した動作を可能にするバイパススイッチの必要性がある。
【発明の開示】
【発明が解決しようとする課題】
【０００３】
慣習的には、故障した制御装置は輸送用冷蔵システムの電気回路を露出し、電気ジャンパを取り付けることによりバイパスされ、輸送用冷蔵システムの限定された動作を回復できる。電気ジャンパの取り付けはジャンパを取り付ける人を電気ショックに曝す。従って、電気制御装置をバイパスするもっと安全な仕組みを提供する必要性がある。
【課題を解決するための手段】
【０００４】
本発明の一つの実施例は、囲まれた容積の温度を調節する冷蔵ユニットを含む。冷蔵ユニットは冷蔵モジュールを含む。冷蔵モジュールは吐出口と吸込口を有する圧縮機を含む。冷蔵モジュールは更に吐出口に動作的に連結された凝縮器熱交換器ユニットを含む。冷蔵モジュールは更に吸込口に動作的に連結された蒸発器熱交換器ユニットを含む。冷蔵モジュールは更に凝縮器熱交換器ユニットに近接して配設された凝縮器ファンを含む。冷蔵モジュールは更に蒸発器熱交換器ユニットに近接して配設された蒸発器ファンと吸込口に連結された吸込調整弁を含む。冷蔵モジュールは囲まれた容積の温度を調節するように配設される。冷蔵ユニットは更に冷蔵モジュールに連結されたバイパスモジュールを含む。バイパスモジュールはバイパスモードスイッチと動作モードスイッチを含む。バイパスモードスイッチは通常動作位置とバイパス動作位置を有する。動作モードスイッチは最大冷却位置とファンのみ位置を有する。冷蔵ユニットは更にバイパスモジュールに連結された電子制御装置を含む。バイパスモードスイッチが通常動作位置にあるときは、電子制御装置は圧縮機、凝縮器ファン、蒸発器ファン及び吸込調整弁の動作を調節する。バイパスモードスイッチがバイパス動作位置にあるときは、圧縮機、凝縮器ファン、蒸発器ファン及び吸込調整弁はバイパスモジュールにより選択的に動作される。この選択的動作は動作モードスイッチの位置により制御される。
【０００５】
もう一つの実施例において、本発明は囲まれた容積の温度を調節する冷蔵ユニットを含む。冷蔵ユニットはコンテナーに連結された冷蔵モジュールを含む。冷蔵モジュールは吐出口と吸込口を有する圧縮機を含む。冷蔵モジュールは更に吐出口に動作的に連結された凝縮器熱交換器ユニットを含む。冷蔵モジュールは更に吸込口に動作的に連結された蒸発器熱交換器ユニットを含む。冷蔵モジュールは更に吸込口に連結された吸込調整弁を含む。冷蔵モジュールは囲まれた容積の温度を調節するように配設される。冷蔵ユニットは更に冷蔵モジュールに連結されたバイパスモジュールを含む。バイパスモジュールはバイパスモードスイッチと動作モードスイッチを含む。バイパスモードスイッチは通常動作位置とバイパス動作位置を有する。動作モードスイッチは最大冷却位置と蒸発器のみ位置を有する。冷蔵ユニットは更にバイパスモジュールに連結された電子制御装置を含む。バイパスモードスイッチが通常動作位置にあるときは、電子制御装置は圧縮機、凝縮器熱交換器ユニット、蒸発器熱交換器ユニット及び吸込調整弁の動作を調節する。バイパスモードスイッチがバイパス動作位置にあるときは、圧縮機、凝縮器熱交換器ユニット、蒸発器熱交換器ユニット及び吸込調整弁はバイパスモジュールにより選択的に動作され、この選択的動作は動作モードスイッチの位置により制御される。液体冷媒は圧縮機、凝縮器熱交換器ユニット、蒸発器熱交換器ユニット及び吸込調整弁を通って循環される。
【０００６】
もう一つの実施例において、本発明は輸送用冷蔵システムを含む。輸送用冷蔵システムはコンテナーを含み、コンテナーは囲まれた容積を定める。輸送用冷蔵システムは更にコンテナーに連結された冷蔵モジュールを含む。冷蔵モジュールは囲まれた容積の温度を調節するように配設される。冷蔵モジュールは吐出口と吸込口を有する圧縮機を含む。冷蔵モジュールは更に吐出口に動作的に連結された凝縮器熱交換器ユニットを含む。冷蔵モジュールは更に吸込口に動作的に連結された蒸発器熱交換器ユニットを含む。冷蔵モジュールは更に凝縮器熱交換器ユニットに近接して配設された凝縮器ファンを含む。冷蔵モジュールは更に蒸発器熱交換器ユニットに近接して配設された蒸発器ファンを含む。冷蔵モジュールは更に吸込口に連結された吸込調整弁を含む。輸送用冷蔵システムは更に冷蔵モジュールに連結されたバイパスモジュールを含む。バイパスモジュールはバイパスモードスイッチと動作モードスイッチを含む。バイパスモードスイッチは通常動作位置とバイパス動作位置を有する。動作モードスイッチは最大冷却位置とファンのみ位置を有する。輸送用冷蔵システムは更にバイパスモジュールに連結された電子制御装置を含む。バイパスモードスイッチが通常動作位置にあるときは、電子制御装置は圧縮機、凝縮器ファン、蒸発器ファン及び吸込調整弁の動作を調節する。バイパスモードスイッチがバイパス動作位置にあるときは、圧縮機、凝縮器ファン、蒸発器ファン及び吸込調整弁はバイパスモジュールにより選択的に動作される。圧縮機、凝縮器ファン、蒸発器ファン及び吸込調整弁の選択的動作は動作モードスイッチの位置により制御される。  
【０００７】
もう一つの実施例において、本発明は冷蔵システム用の制御モジュールを含む。制御モジュールは冷蔵システムを制御する電子制御装置と、冷蔵システムと電子制御装置に連結されたバイパスモジュールを含む。バイパスモジュールは複数のスイッチを含み、それにより、冷蔵システムの選択された構成要素の動作を維持しながら電子制御装置を冷蔵システムから隔離することができる。
【発明を実施するための最良の形態】
【０００８】
続いて、添付図面に例示した本発明の現在の好適実施例を参照して詳細な説明を行う。可能な限り、同じ又は同様の部品を指すために同じ参照数字が全図面を通じて用いられる。本発明の実施例は図１に示され、参照数字１０により概ね全体を通じて表示される。
【０００９】
図１は囲まれた容積１４の温度を調節する冷蔵ユニット１０として具現化された本発明を示す。冷蔵ユニット１０は冷蔵モジュール１６、バイパスモジュール３６及び電子制御装置５０を含む。電子制御装置５０はバイパスモジュール３６に連結され、これが今度は冷蔵モジュール１６に連結される。
【００１０】
冷蔵モジュール１６は圧縮機１８、凝縮器熱交換器２４、蒸発器熱交換器２６、凝縮器ファン２８、蒸発器ファン３０及び吸込調整弁３２を含む。
【００１１】
圧縮機１８は吐出口２０と吸込口２２を有する。圧縮機１８は３相電力で動作し、一定速度で動作する。圧縮機１８は例えば米国、ニューヨーク州、シラキュース所在のキャリヤ・コーポレーションから入手可能なスクロール圧縮機のようなスクロール圧縮機でも、あるいは冷蔵システムでの使用に適した当業者に知られた他のタイプの如何なる圧縮機でもよい。冷蔵ユニットは例えば通常の商業電力サービス、船舶用発電システム又はディーゼル発電機から電力を受ける。
【００１２】
冷蔵モジュール１６は更に吸込調整弁３２を含む。吸込調整弁３２は蒸発器熱交換器ユニット２６と圧縮機１８の吸込口２２の間の冷蔵ループ３４に配置された質量流量コントローラである。吸込調整弁３２は圧縮機１８に利用可能な冷媒量を制限し、それにより冷蔵モジュール１６により提供される冷却量を調節するのを助けるのに役立つ。典型的には、吸込調整弁３２は可変位置弁（図示せず）を含み、その位置は電気ステップモータ（図示せず）により制御される。
【００１３】
冷蔵モジュール１６は更に凝縮器熱交換器ユニット２４を含む。凝縮器熱交換器ユニット２４は圧縮機１８の吐出口２０に動作的に連結される。
【００１４】
冷蔵モジュール１６は更に蒸発器熱交換器ユニット２６を含む。蒸発器熱交換器ユニット２６は圧縮機１８の吸込口２２に動作的に連結される。
【００１５】
冷蔵モジュール１６は更に、凝縮器熱交換器ユニット２４に空気流を向け、それにより凝縮器熱交換器ユニット２４内を循環する冷媒から熱が除去されるように配置された凝縮器ファン２８を含む。
【００１６】
冷蔵モジュール１６は更に蒸発器熱交換器ユニット２６に空気流を向けるように配置された蒸発器ファン３０を含む。蒸発器ファン３０はコンテナー１２の囲まれた容積１４内に含まれる空気を循環するように配置及び配管される。蒸発器ファン３０は蒸発器熱交換器ユニット２６の表面を横切って空気流を吹き付ける。それにより熱が空気から除去され、コンテナー１２の囲まれた容積１４内を循環する空気の温度を低下させる。
【００１７】
輸送用冷蔵システム１００は更にバイパスモジュール３６と電子制御装置５０を含む。電子制御装置５０はバイパスモジュール３６に連結され、一方、このバイパスモジュール３６が今度は冷蔵モジュール１６に連結される。従って、電子制御装置５０がコンテナー１２の内部容積１４の温度を調節出来るようにする電気接続は電子制御装置５０からバイパスモジュール３６を経由して冷蔵モジュール１６へと行われる。
【００１８】
例えば米国、ニューヨーク州、シラキュース所在のキャリヤ・コーポレーションから入手可能なマイクロリンク（Ｍｉｃｒｏｌｉｎｋ（登録商標））２≡制御装置のような電子制御装置５０が圧縮機１８、凝縮器ファン２８、蒸発器ファン３０、及び吸込調整弁３２に電気的に接続される。電子制御装置５０はコンテナー１２の囲まれた容積１４内の所定の熱的環境を維持するように冷蔵モジュール１６を動作するよう構成される。電子制御装置５０は圧縮機１８、凝縮器ファン２８、蒸発器ファン３０、及び吸込調整弁３２の動作を選択的に制御することにより所定の環境を維持する。例えば、囲まれた容積１４の冷却を増加する必要がある場合、電子制御装置５０は圧縮機１８、凝縮器ファン２８及び蒸発器ファン３０に電力を供給する。更に、電子制御装置５０は圧縮機１８に供給される冷媒の流れを増加させるように吸込調整弁３２の位置を調節する。囲まれた容積１４の冷却を少なくする必要がある場合、電子制御装置５０は圧縮機１８に供給される冷媒の流れを減少させるように吸込調整弁３２の位置を調節する。
【００１９】
バイパスモジュール３６はバイパスモードスイッチ３８を含む。バイパスモードスイッチ３８は通常動作位置４０とバイパス動作位置４２の二つの位置を有する手動の機械スイッチである。バイパスモードスイッチ３８は典型的には通常動作位置４０に維持され、電子制御装置５０に故障が発生し、電子制御装置５０が最早冷蔵モジュール１６の動作を制御できず、それによりコンテナー１２内に貯蔵された腐り易いものを危険に曝すときにのみバイパス動作位置４２に移動される。
【００２０】
バイパスモードスイッチ３８が通常動作位置にあるときは、電子制御装置５０は圧縮機１８、凝縮器ファン２８、蒸発器ファン３０及び吸込調整弁３２の動作を調節する。
【００２１】
バイパスモードスイッチ３８がバイパス動作位置４２にあるときは、電子制御装置５０と冷蔵モジュール１６の間の電気接続は切断され、従って、電子制御装置５０は最早冷蔵モジュール１６の動作を制御しない。バイパスモードスイッチ３８をバイパス動作位置４２に置くことにより冷蔵モジュール１６の制御を電子制御装置５０からバイパスモジュールに引き渡す。圧縮機１８、凝縮器ファン２８、蒸発器ファン３０及び吸込調整弁３２はバイパスモジュール３６の動作モードスイッチ４４の位置に従ってバイパスモジュール３６により選択的に動作される。
【００２２】
動作モードスイッチ４４は最大冷却位置４６と蒸発器ファンのみ位置４８を含むマルチポジションスイッチである。圧縮機１８、凝縮器ファン２８、蒸発器ファン３０及び吸込調整弁３２の選択的動作は動作モードスイッチ４４の位置により制御される。動作モードスイッチ４４が最大冷却位置４６にあるときは、吸込調整弁３２はその最大設定値まで開かれ、電力が圧縮機１８、蒸発器ファン３０及び凝縮器ファン２８に供給される。圧縮機１８、蒸発器ファン３０及び凝縮器ファン２８は囲まれた容積１４に対して最大冷却を与えるように動作される。好ましくは、蒸発器ファン３０と凝縮器ファン２８に供給される電力は、蒸発器ファン３０と凝縮器ファン２８が個々の最大空気流の設定値で動作するのに十分なものである。
【００２３】
代わりの実施例において、冷蔵ユニット１０はまた緊急霜取りスイッチとヒータを含む。
【００２４】
図２に示される本発明の冷蔵ユニット１０の代わりの実施例において、凝縮器ファン２８は第１の循環流体熱交換器１０２に置き換えられ、蒸発器ファン３０は第２の循環流体熱交換器１０４に置き換えられる。第１の循環流体熱交換器１０２は凝縮器熱交換器ユニット２４に熱的に連結され、冷媒から熱を除去し、第２の循環流体に熱を伝達する。第２の循環流体熱交換器１０４は蒸発器熱交換器ユニット２６に熱的に連結され、第２の循環流体熱交換器１０４内の第３の循環流体から蒸発器熱交換器ユニット２６内の冷媒に熱を伝達する。
【００２５】
図３に示す本発明の代わりの実施例において、本発明は、例えば食料品及び医薬品等の温度制御された環境を必要とする商品の輸送又は貯蔵に用いられる例えばトレーラ、複合コンテナー、鉄道車両等のようなコンテナー１２を含む輸送用冷蔵システム１００として具現化される。コンテナー１２は前記商品を貯蔵するための囲まれた容積１４を含む。囲まれた容積１４はコンテナー１２の外側から内部環境を隔離する囲まれた空間でもよい。
【００２６】
輸送用冷蔵システム１００はまたコンテナー１２に連結された冷蔵モジュール１６を含む。冷蔵モジュール１６はコンテナー１２の囲まれた容積１４の温度を所定の温度範囲内に維持するように配置される。冷蔵モジュール１６は吐出口２０と吸込口２２を有する圧縮機１８を含む。圧縮機は３相電力により動力を得、一定速度で動作する。圧縮機１８は例えば米国、ニューヨーク州、シラキュース所在のキャリヤ・コーポレーションから入手可能なスクロール圧縮機のようなスクロール圧縮機でもよい。冷蔵ユニットは例えば通常の商業電力サービス、船舶用発電システム又はディーゼル発電機からの電力を必要とする。
【００２７】
冷蔵モジュール１６は更に凝縮器熱交換器ユニット２４を含む。凝縮器熱交換器ユニット２４は圧縮機１８の吐出口２０に動作的に連結される。
【００２８】
冷蔵モジュール１６は更に蒸発器熱交換器ユニット２６を含む。蒸発器熱交換器ユニット２６は圧縮機１８の吸込口２２に動作的に連結される。
【００２９】
冷蔵モジュール１６は更に凝縮器熱交換器ユニット２４に空気流を向け、それにより熱が凝縮器熱交換器ユニット２４内を循環する冷媒から除去されるように配置された凝縮器ファン２８を含む。
【００３０】
冷蔵モジュール１６は更に蒸発器熱交換器ユニット２６に空気流を向けるように配置された蒸発器ファン３０を含む。蒸発器ファン３０はコンテナー１２の囲まれた容積１４内に含まれる空気を循環するように配置及び配管される。蒸発器ファン３０は蒸発器熱交換器ユニット２６の表面を横切って空気流を吹き付ける。それにより熱は空気から除去され、コンテナー１２の囲まれた容積１４内を循環する空気の温度を低下させる。
【００３１】
冷蔵モジュール１６は更に吸込調整弁３２を含む。吸込調整弁３２は蒸発器熱交換器ユニット２６と圧縮機１８の吸込口２２の間の冷蔵ループ３４に配置された質量流量コントローラである。吸込調整弁３２は圧縮機１８に利用可能な冷媒量を制限し、それにより冷蔵モジュール１６により提供される冷却量を調節するのを助けるのに役立つ。典型的には、吸込調整弁３２は可変位置弁（図示せず）を含み、その位置は電気ステップモータ（図示せず）により制御される。
【００３２】
輸送用冷蔵システム１００は更にバイパスモジュール３６と電子制御装置５０を含む。電子制御装置５０はバイパスモジュール３６に連結され、一方、このバイパスモジュール３６が今度は冷蔵モジュール１６に連結される。従って、電子制御装置５０がコンテナー１２の内部容積１４の温度を調節出来るようにする電気接続は電子制御装置５０からバイパスモジュール３６を経由して冷蔵モジュール１６へと行われる。
【００３３】
例えば米国、ニューヨーク州、シラキュース所在のキャリヤ・コーポレーションから入手可能なマイクロリンク２≡制御装置のような電子制御装置５０が圧縮機１８、凝縮器ファン２８、蒸発器ファン３０、及び吸込調整弁３２に電気的に接続される。電子制御装置５０はコンテナー１２の囲まれた容積１４内の所定の熱的環境を維持するように冷蔵モジュール１６を動作するよう構成される。電子制御装置５０は圧縮機１８、凝縮器ファン２８、蒸発器ファン３０、及び吸込調整弁３２の動作を選択的に制御することにより所定の環境を維持する。例えば、囲まれた容積１４の冷却を増加する必要がある場合、電子制御装置５０は圧縮機１８、凝縮器ファン２８及び蒸発器ファン３０に電力を供給する。更に、電子制御装置５０は圧縮機１８に供給される冷媒の流れを増加させるように吸込調整弁３２の位置を調節する。囲まれた容積１４の冷却を少なくする必要がある場合、電子制御装置５０は圧縮機１８に供給される冷媒の流れを減少させるように吸込調整弁３２の位置を調節する。
【００３４】
バイパスモジュール３６はバイパスモードスイッチ３８を含む。バイパスモードスイッチ３８は通常動作位置４０とバイパス動作位置４２の二つの位置を有する手動の機械スイッチである。バイパスモードスイッチ３８は典型的には通常動作位置４０に維持され、電子制御装置５０に故障が発生し、電子制御装置５０が最早冷蔵モジュール１６の動作を制御できず、それによりコンテナー１２内に貯蔵された腐り易いものを危険に曝すときにのみバイパス動作位置４２に移動される。
【００３５】
バイパスモードスイッチ３８が通常動作位置にあるときは、電子制御装置５０は圧縮機１８、凝縮器ファン２８、蒸発器ファン３０及び吸込調整弁３２の動作を調節する。
【００３６】
バイパスモードスイッチ３８がバイパス動作位置４２にあるときは、電子制御装置５０と冷蔵モジュール１６の間の電気接続は切断され、従って、電子制御装置５０は最早冷蔵モジュール１６の動作を制御しない。バイパスモードスイッチ３８をバイパス動作位置４２におくことにより冷蔵モジュール１６の制御を電子制御装置５０からバイパスモジュールに引き渡す。圧縮機１８、凝縮器ファン２８、蒸発器ファン３０及び吸込調整弁３２はバイパスモジュール３６の動作モードスイッチ４４の位置に従ってバイパスモジュール３６により選択的に動作される。
【００３７】
動作モードスイッチ４４は最大冷却位置４６と蒸発器ファンのみ位置４８を含むマルチポジションスイッチである。圧縮機１８、凝縮器ファン２８、蒸発器ファン３０及び吸込調整弁３２の選択的動作は動作モードスイッチ４４の位置により制御される。動作モードスイッチ４４が最大冷却位置４６にあるときは、吸込調整弁３２はその最大設定値まで開かれ、電力が圧縮機１８、蒸発器ファン３０及び凝縮器ファン２８に供給される。圧縮機１８、蒸発器ファン３０及び凝縮器ファン２８は囲まれた容積１４に対して最大冷却を与えるように動作される。好ましくは、蒸発器ファン３０と凝縮器ファン２８に供給される電力は、蒸発器ファン３０と凝縮器ファン２８がこのように動作するのに十分なものである。
【００３８】
慣習的に、圧縮機１８を動作するために３相電力が用いられる。圧縮機１８を動作するために３相電力が用いられるときは、バイパスモジュールは位相検出回路６６を含む。位相検出回路６６は３相電力線６８に連結され、３相入力電力の相回転を決定する。検出すべき３相電気回転シーケンスはＡＢＣ、ＡＣＢ、ＢＡＣ、ＢＣＡ、ＣＢＡ、ＣＡＢである。位相検出回路６６は３相電気回転を制御論理回路６８に伝達する。次いで、制御論理回路６８は適切な電気接点（図示せず）を閉じて正しい電気回転シーケンスを有する電力を圧縮機１８に供給する。
【００３９】
動作モードスイッチ４４がファンのみ位置４８にあるときは、圧縮機１８、凝縮器ファン２８は切られ、吸込調整弁３２はその最大閉位置に駆動される。更に、電力が蒸発器ファン３０に供給され、蒸発器ファン３０がその最大空気流設定値で稼動される。従って、動作モードスイッチ４４がファンのみ位置４８にあるときは、囲まれた容積１４内の空気はコンテナー１２の囲まれた容積１４全体にわたり絶えず再循環される。
【００４０】
本発明の輸送用冷蔵システム１００の一つの実施例において、輸送用冷蔵システム１００はＨブリッジ駆動回路５２を含むバイパスモジュール３６を含む。Ｈブリッジ駆動回路５２は吸込調整弁３２の位置取りを制御する可逆ステップモータ５４の動作を制御する。Ｈブリッジ回路５２の模式図が図３に示される。
【００４１】
本発明の輸送用冷蔵システム１００のもう一つの実施例において、輸送用冷蔵システム１００はコンテナー１２、冷蔵モジュール１６、バイパスモジュール３６及び電子制御装置５０を含む。
【００４２】
冷蔵モジュール１６は吐出口２０と吸込口２２を有する圧縮機１８を含む。冷蔵モジュールは更に吸込調整弁３２を含み、吸込調整弁３２は圧縮機１８の吸込口２２に連結される。
【００４３】
発明の趣旨と範囲から逸脱することなく本発明に種々の変形と変更を成し得ることは当業者には明らかであろう。従って、本発明は、請求項およびその均等物の範囲内であれば、これらの変形や変更を含むものである。
【図面の簡単な説明】
【００４４】
【図１】本発明の冷蔵ユニットの実施例の模式図である。
【図２】本発明の冷蔵ユニットの実施例の模式図である。
【図３】本発明の輸送用冷蔵システムの模式図である。
【図４】本発明のバイパスモジュールの電気的模式図である。
【図１】
2006522312.tif 000003
【図２】
2006522312.tif 000004
【図３】
2006522312.tif 000005
【図４】
2006522312.tif 000006
【国際調査報告】
2006522312.tif 000007
2006522312.tif 000008